(57)【特許請求の範囲】
【請求項１】
血管の内側で、切開部の閉鎖装置の第一の閉鎖部材（２）を位置決めする位置決め装置であって、前記第一の閉鎖部材（２）は細長い部材の末端に取り付けられ、前記位置決め装置はロッド形状（６）で弾性を有しており、前記ロッド形状の位置決め装置の末端を、前記第一の閉鎖部材に解放可能に取り付けることができるものであり、前記ロッド形状の位置決め装置の回転動作及びある方向への動作を前記第一の閉鎖部材（２）に伝達できるようにして、前記第一の閉鎖部材（２）の位置を制御することを特徴とする、位置決め装置。
【請求項２】
請求項１に記載の位置決め装置において、前記細長い部材が一対の縫合ワイヤー（４）を構成する、位置決め装置。
【請求項３】
請求項１又は２に記載の位置決め装置において、前記ロッド形状の位置決め装置の長手方向枢軸と前記第一の閉鎖部材（２）の長手方向枢軸との間の角度（２２）が０゜乃至３０°の範囲にある、位置決め装置。
【請求項４】
請求項３に記載の位置決め装置において、前記第一の閉鎖部材が、０゜乃至３０゜の範囲の角度で枢動可能に取り付けられている、位置決め装置。
【請求項５】
請求項４に記載の位置決め装置において、前記第一の閉鎖部材（２）が、０゜乃至３０°の範囲の角度で枢動可能である、位置決め装置。
【請求項６】
請求項１乃至５の何れかに記載の位置決め装置において、前記ロッド形状の位置決め装置が、その末端にて前記第一の閉鎖部材（２）内の切欠き（７）に嵌まる、位置決め装置。
【請求項７】
請求項６に記載の位置決め装置において、前記ロッド形状の位置決め装置が該切欠き（７）内に配置されたとき、０゜乃至３０゜の範囲の角度が提供されるように、前記第一の閉鎖部材（２）の前記切欠き（７）が前記角度を与える、位置決め装置。
【請求項８】
請求項２に記載の位置決め装置において、前記ロッド形状の位置決め装置が、その末端にて、突出部分（１０）の各側部に肩部（８）を備え、前記ロッド形状の位置決め装置が、前記第一の閉鎖部材（２）と前記一対の縫合ワイヤーとの間に嵌まることにより、前記縫合ワイヤーが前記第一の閉鎖部材（２）から伸びる、位置決め装置。
【請求項９】
請求項８に記載の位置決め装置において、前記第一の閉鎖部材（２）に取り付けられたとき、０゜乃至３０゜の範囲の角度が提供されるように、前記突出部分（１０）が曲がっている、位置決め装置。
【請求項１０】
請求項１乃至６の何れかに記載の位置決め装置において、前記ロッド形状の位置決め装置が、その末端にて、少なくとも２つの突出部分（４０、４２）と、当該突出部分の間の空間（４４）とを備え、前記第一の閉鎖部材（２）から伸びる箇所にて前記細長い部材を取り巻くようにされた分岐部分を形成する、位置決め装置。
【請求項１１】
請求項１０に記載の位置決め装置において、前記第一の閉鎖部材（２）に取り付けられたとき、０゜乃至３０゜の範囲の角度が提供されるように、前記少なくとも２つの突出部分（４０、４２）が曲がっている、位置決め装置。
【請求項１２】
請求項１１に記載の位置決め装置において、前記ロッド形状の位置決め装置の末端がＳ字形の形状となるように、曲がった前記２つの突出部分（４０、４２）の先端が更に曲がっている、位置決め装置。
【請求項１３】
請求項１乃至６の何れかに記載の位置決め装置において、前記ロッド形状の位置決め装置が、管状であり、その末端の第一の開口部（５０）と、その基端の第二の開口部（５２）とを備え、前記細長い部材が管状に形成された前記ロッド形状の位置決め装置を通じて挿入可能である、位置決め装置。
【請求項１４】
請求項１３に記載の位置決め装置において、管状の前記ロッド形状の位置決め装置の前記第一の開口部（５０）が、０゜乃至３０゜の範囲の角度と同一の角度にて傾斜する、位置決め装置。
【請求項１５】
請求項１４に記載の位置決め装置において、管状に形成された前記ロッド形状の位置決め装置の一部分が、前記第一の開口部（５０）から伸びる長手方向のスリット（５４）を備える、位置決め装置。
【請求項１６】
請求項１５に記載の位置決め装置において、前記スリット（５４）が第一の開口（５６）にて終わっており、該スリットが、前記第一の開口（５６）と末端との間に第二の開口（５８）を更に備える、位置決め装置。
【請求項１７】
請求項１乃至１６の何れかに記載の位置決め装置において、前記ロッド形状の位置決め装置が、前記細長い部材により前記第一の閉鎖部材（２）に対して所要位置に保ち得るようにされる、位置決め装置。
【請求項１８】
請求項１７に記載の位置決め装置において、前記ロッド形状の位置決め装置を前記第一の閉鎖部材（２）に取り付けた状態に保ち得るように、前記細長い部材の基端が前記ロッド形状の位置決め装置の基端に締結可能である、位置決め装置。
【請求項１９】
請求項１８に記載の位置決め装置において、前記ロッド形状の位置決め装置の基端に取り付けられ又は該基端の一部分である支持体（１２）を備える、位置決め装置。
【請求項２０】
請求項１９に記載の位置決め装置において、前記支持体（１２）が貫通開口部（６０）を備え、管状に形成された前記ロッド形状の位置決め装置の基端から伸びる前記細長い部材が該貫通開口部を通じて挿入可能である、位置決め装置。
【請求項２１】
請求項２０に記載の位置決め装置において、前記ロッド形状の位置決め装置を前記第一の閉鎖部材（２）に対して押し付け、これらを共に保持する圧力を実現すべく、前記細長い部材の基端が前記支持体（１２）に締結可能であるようにされる、位置決め装置。
【請求項２２】
切開部の閉塞装置において、請求項１乃至２１の何れかに記載の位置決め装置と、血管壁の切開部を閉じる閉鎖装置とを備え、該閉鎖装置が、細長い部材の末端に取り付けられた第一の閉鎖部材（２）と、前記細長い部材（４）に且つ該細長い部材（４）に沿って挿入可能であると共に、前記切開部を閉じるようにその最終位置にて係止可能である第二の閉鎖部材（３）とを備えることを特徴とする、切開部の閉塞装置。
【発明の詳細な説明】
【０００１】
【発明の属する技術分野】
本発明は、それぞれ請求項１及び２３の前文による位置決め装置及び切開部閉塞装置に関する。
【０００２】
【従来の技術】
特定型式の医療外科手術又は治療中、患者の脈管系にアクセスするため導入子が使用される。導入子は、脈管系にアクセスするため血管壁を通じて挿入し、また、その後、カテーテル、ガイドワイヤー等のような医療器具を案内するために使用することができる。
【０００３】
医療方法が完了した後、導入子の寸法に相応する切開部または傷が血管壁に残る。かかる外科手術の結果である切開部からの出血は、切開部に直接、圧力を加えることで止めることができる。しかし、切開部に直接、圧力を加えることは、医療従事者の手助けを必要とし、また、血管を通る血流を制限する可能性もある。
【０００４】
米国特許第５，３５０，３９９号には、血管の開口部を閉鎖する閉鎖装置が記載されている。この閉鎖装置は、動脈内咬合器の形態をした吸収可能な部材と、動脈内咬合器と一体で且つ該咬合器から中央に伸びる細長い吸収可能なワイヤーの形態をした案内手段と、動脈外咬合器の形態をした第二の吸収可能な部材とから構成されている。
【０００５】
【発明が解決しようとする課題】
かかる閉鎖装置の問題点は、血流の力が動脈内咬合器を動かし、血管内で斜めに固着し、このため、閉鎖装置が適正に閉鎖されたか否かを知ることを難しくする虞れがあるから、閉鎖する直前の瞬間に、動脈内咬合器を位置決めすることが難しいことである。このことは、血液が漏れる血管の場合、重大な結果を招く可能性がある。血液速度は、約０．５ｍ／ｓである。
【０００６】
本発明の目的は、閉鎖方法をより改良され且つより確実なものとする、閉鎖装置を位置決めするための位置決め装置を提供することである。
【０００７】
【課題を解決するための手段】
この問題点は、独立請求項１の特徴による本発明によって解決される。
【０００８】
位置決め装置は、その末端に、上記の第一の閉鎖部材に解放可能に取り付けることのできるロッド形状部分を備え、該ロッド形状部分の回転動作及びある方向への動作が第一の閉鎖部材に伝達可能であるようにする。これにより、上記閉鎖装置の位置を制御することができ、このことは、閉鎖方法を改良され且つより確実なものにする。
【０００９】
本発明による栓の好ましい実施の形態は、従属請求項２乃至２２に記載されている。
このように、本発明は、優れた閉鎖特徴にて切開部を閉じるための新規且つ使用が容易な閉鎖及び切開部の閉塞装置を提供するものである。
【００１０】
【発明の実施の形態】
本発明の上記及びその他の面は、添付図面と共に読むとき、単に、一例として掲げた、本発明の以下の詳細な説明を参照することにより最も良く理解されよう。
【００１１】
図１は、本発明の第一の実施の形態による、閉鎖装置を位置決めするために取り付けられた位置決め装置の側面図であり、図２は、その上方から見た図である。閉鎖装置は、血管壁の切開部を閉じることを目的としており、かかる閉鎖装置の一例が図６にその閉鎖位置にある状態で示してある。該装置は、３つの別個の部分、すなわち、第一の閉鎖部材２と、細長い部材と、第二の閉鎖部材３とを備えている。第一の閉鎖部材２は、細長い部材の末端に取り付けられている。該細長い部材はマルチフィラメント縫合ワイヤーのような形状無しの材料で出来ている。この実施例において、第一の閉鎖部材は、２つの貫通開口部を備えており、マルチフィラメント縫合ワイヤーをこの貫通開口部に通して、細長い部材を構成する一対の縫合ワイヤー４を形成する。第二の閉鎖部材３は、貫通開口部を備えており、縫合ワイヤー４をこの開口部に通して、第二の閉鎖部材をその閉鎖位置に配置することができる。
【００１２】
図１及び図２を参照すると、位置決め装置は、その末端にて、第一の閉鎖部材２に取り付け可能なロッド形状部分６を備えている。第一の実施の形態によれば、ロッド形状部分６は、その末端にて、第一の閉鎖部材２の切欠き７に嵌まり、このようにして、第一の閉鎖部材２に取り付け且つ容易に取り外すことができる。
【００１３】
図３乃至図５に図示した第二の実施の形態によれば、ロッド形状部分６は、その末端にて、突出部分１０の各側部に肩部８を備えており、このため、ロッド形状部分６は、第一の閉鎖部材２及び第二の閉鎖部材３から伸びる２つの縫合ワイヤーの間に嵌まり、このようにして、第一の閉鎖部材２に取り付け且つ容易に取り外すことができる。
【００１４】
図１５乃至図１７に図示した第三の実施の形態によれば、ロッド形状部分６は、その末端にて、２つの突出部分４０、４２と、その間に分岐部分を形成する空間とを備えている。分岐部分は第一の閉鎖部材２から伸びる２つの縫合ワイヤー４を取り巻き、このため、ロッド形状部分６を第一の閉鎖部材２に取り付け且つ容易に取り外すことができる。
【００１５】
図１８乃至図２０に図示した第四の実施の形態によれば、ロッド形状部分６は、管として形成されており、その末端の第一の開口部５０と、その基端の第二の開口部５２とを有している。図２０に図示するように、管の一部分は末端から伸びる長手方向スリット５４を備えている。スリット５４は、第一の開口５６にて終わり、第一の開口５６と末端との間に第二の開口５８を更に有しており、第一の閉鎖部材２から伸びる縫合ワイヤー４をロッド形状部分６の第一の開口部５０に通し且つスリットの第二の開口５８、第二の閉鎖部材３の貫通開口部、スリットの第一の開口５６を通し、ロッド形状部分の第二の開口部５２を通じてロッド形状部分から出すことができる（図１８参照）。その結果、ロッド形状部分６は第一の閉鎖部材２に取り付け且つ容易に取り外すことができる。スリット５４は第二の閉鎖部材３をその係止位置に移動させることを可能にする。
【００１６】
ロッド形状部分６は、ロッド形状部分６の基端を第一の閉鎖部材２から伸びる縫合ワイヤー４の基端に締結することにより、細長い部材、すなわち、この実施例において、２つの縫合ワイヤー４により第一の閉鎖部材２内の所要位置に保持することが好ましい。位置決め装置は支持体１２を備えることができる。支持体１２は、ロッド形状部分６の基端に取り付けられ又は該基端の一部である。ロッド形状部分６を第一の閉鎖部材２に締め付け、これらの部材を共に所要位置に安全に保持することを可能にする圧力が生じるように、細長い部材の基端を支持体１２に締結する。縫合ワイヤー４を締め付ける限り、第一の閉鎖部材２は、全ての方向に案内することが可能である。この締結は、本発明の第一、第二及び第三の実施の形態におけるように、所望の圧力が生じるほど硬く縫合ワイヤーの基端を支持体１２の周りで結ぶことにより、例えば結び目１４を形成することで行うことができる。図２、図４及び図１６参照。第四の実施の形態は同様であるが、支持体１２は、貫通開口部６０を備えており、管状に形成されたロッド形状部分６の基端から伸び且つロッド形状部分６と反対側部で結ばれた縫合ワイヤー４がこの貫通開口部を通る。図１８参照。スリット５４の第一及び第二の開口５６、５８は、液滴状に形成し、液滴の点がロッド形状部分６の末端に先端を向くようにすることが好ましい。縫合ワイヤー４を締め付け、第一の閉鎖部材２を導入子２４を通じて押し込むとき、縫合ワイヤー４が、管状に形成されたロッド形状部分６から滑り出ることはない点にて、このことは好ましい。他方、解放したとき、第一及び第二の開口５６、５８は、スリット５４に連続的に転換されるため、縫合ワイヤー４はロッド形状部分６を通って滑り出る。
【００１７】
細長い部材、例えば、縫合ワイヤー４は、位置決め装置を引き離すとき、位置決め装置のロッド形状部分６から解放することができる。
図１、図３及び図１５を参照すると、第一の閉鎖部材２は、最初に切開部に入る第一の閉鎖部材２の部分である前部分１６を備えている。第一の閉鎖部材２は、最後に切開部に入る第一の閉鎖部材２の部分である後部分１８を更に備えている。上記図面にて前部分１６と後部分１８との間に線２０が図示されている。ロッド形状部分６の長手方向枢軸と第一の閉鎖部材２、すなわち線２０との間の角度２２は確実に閉鎖するうえで重要である。角度２２は、ロッド形状部分６及び第一の閉鎖部材２が閉鎖位置にあるとき、角度２２に対する２つの条件間の範囲になければならない。その第一の条件は、線２０が血管に対して平行であるとき、可能な限り小さくなければならないことである。角度２２の第二の条件は、細長い部材、例えば、縫合ワイヤー４が締め付けられるとき、第二の閉鎖部材３が血管から引き出される虞れがないように可能な限り大きくなければならない。かかる角度の推奨値は約１５乃至３０°の範囲である。
【００１８】
第一の実施の形態にて望ましい角度２２を提供するため（図１参照）、第一の閉鎖部材２の切欠き７は、ロッド形状部分６が切欠き７内に取り付けられるとき、望ましい角度が提供され且つそれが一定の角度であるような角度を有する。
【００１９】
第二の実施の形態にて望ましい角度を提供するため（図３参照）、突出部分１０は望ましい角度に等しい角度まで曲げられている。
第三の実施の形態にて望ましい角度を提供するため、２つの突出部分４０、４２は、第二の実施の形態と同様に、望ましい角度に略等しい角度まで曲げられている。好ましくは、ロッド形状部分６の末端がＳ字状の形状であり、位置決め装置をその末端にてより平滑にするように２つの突出部分４０、４２の先端が更に曲げられたものとする（図１５参照）。
【００２０】
第四の実施の形態にて望ましい角度を提供するため（図１８参照）、管状のロッド形状部分６の開口部５０は望ましい角度と同一の角度にて傾斜させてある。ロッド形状部分６が、第二及び第三の実施の形態に従って第一の閉鎖部材２及び第二の閉鎖部材３から伸びる２つの縫合ワイヤーの間に配置されたとき、この望ましい角度が提供される。第二、第三及び第四の実施の形態において、この角度は一定ではなく、第一の閉鎖部材２は枢動可能であり、このため、角度２２は、０°乃至第二及び第三の実施の形態に従って突出部分１０、４０、４２が曲げられる角度の範囲とし、又は管状のロッド形状部分６の開口部５０の角度が第四の実施の形態に従って傾斜する角度の範囲となる。図１０及び図１２において、第一の閉鎖部材２は枢動させ、角度が０°であり、図１１において、第一の閉鎖部材２が枢動し、角度が望ましい角度であるようにする。図１０から理解し得るように、第一の閉鎖部材２は導入子２４内の空間に合うように調節しなければならない、すなわち、線２０を表わす第一の閉鎖部材２の長手方向軸線を導入子２４の長手方向軸線に対し平行となるように調節する。従って、第二の閉鎖部材３を導入し且つ変形させるため位置決め装置にて必要とされる力は減少するため、この枢動は望ましいものである。
【００２１】
ロッド形状部分６は、高弾性率を有することが好ましい弾性材料、例えば、弾性率が典型的に２０００ＧＰａのステンレス鋼又は弾性率が典型的に２００ＧＰａのポリマーのような材料で出来ている。
【００２２】
位置決め装置の典型的な寸法は、ロッド形状部分６の場合、長さが１５０ｍｍ、厚さが０．４ｍｍである。第一の実施の形態による切欠き７の深さは２ｍｍである。肩部８の場合、幅は０．５ｍｍで、突出部分１０の場合、本発明の第二の実施の形態に従い、長さが２ｍｍ及び幅が０．５ｍｍである。突出部分４０、４２の場合、本発明の第三の実施の形態に従い、長さが２ｍｍ及び幅が０．３ｍｍである。本発明の第四の実施の形態によれば、典型的な寸法は、スリット５４の場合、長さが１２ｍｍ、スリットの基端５０からその第一の開口５６までの距離が７ｍｍ、その第二の開口５８までの距離が１２ｍｍであり、スリットの開口５６、５８の幅は直径０．５ｍｍである。
【００２３】
閉鎖装置の部分の典型的な寸法は、第一の閉鎖部材２の場合、長さが１０ｍｍ、第一の閉鎖部材２の幅は５ｍｍ、第一の閉鎖部材２の２つの貫通開口部の場合、直径０．２ｍｍである。縫合糸の典型的な寸法は直径０．２５ｍｍである。血管の内径は６乃至１０ｍｍである。
【００２４】
図７には、本発明の第三の実施の形態による第一の閉鎖部材と、位置決め装置とを備える導入子が図示されている。第一及び第二の閉鎖部材２、３は、切開部内のその最終位置に向う途中、導入子２４を貫通する。第一及び第二の閉鎖部材２、３の各々は導入子２４の直径よりも大きい直径を有するため、これら部材は圧縮可能とされている。本発明によれば、第一及び第二の閉鎖部材２、３は折り畳み可能な部分と、より堅固な部分とから成ることが好ましいが、その他の形状も可能である。図８には、図７に従って導入子２４内に圧縮された第一の閉鎖部材２の線Ａ−Ａに沿った断面図が図示されている。
【００２５】
図１０には、本発明の第三の実施の形態による閉鎖装置と、第一の閉鎖部材２、細長い部材及び第二の閉鎖部材３を導入子２４を通じて押し且つ位置決めし得るようにされた位置決め装置とを備える導入子が図示されている。
【００２６】
閉鎖装置は、閉塞すべき切開部のその最終位置に達し得るように導入子２４を通じて進める。これを実現するため、第一の閉鎖部材２、細長い部材及び第二の閉鎖部材３を導入子２４を通じて押すために突押し管２５及び位置決め装置６が使用される。
【００２７】
次に、導入子、位置決め装置及び閉鎖装置の異なる要素が作用する状態及びその互いの関係について説明する。
患者の脈管系にアクセスするため導入子２４が使用される。脈管系にアクセスするため導入子２４を血管壁を通じて挿入し、その後、カテーテル、ガイドワイヤー等のような医療器具を案内するため導入子を使用する。図９には、導入子２４が血管壁２８を貫通して血管３０内に伸びる状態で切開箇所の断面図が図示されている。導入子２４は皮膚を通じて導入し、組織３４を通って、血管壁２８に貫入し且つ血管３０に入る。導入子２４を除去したとき、血管壁２８に切開部が残る。上述した位置決め装置によって閉鎖装置が閉じるのはこの切開部である。
【００２８】
閉鎖過程が開始する前に、ロッド形状部分６を第一の閉鎖部材２に取り付ける。上述したようにロッド形状部分６を第一の閉鎖部材２に対して押し付ける圧力が発生するように細長い部材の基端を支持体１２に締結することによりこれら部材を共に保持する。ロッド形状部分６及び第一、第二の閉鎖部材２、３は次に導入子内に押し込み、第一及び第二の閉鎖部材２、３が、図７及び図８に図示するように圧縮された状態となるようにする。
【００２９】
図１０には、第二又は第三の実施の形態による位置決め装置、第一及び第二の閉鎖部材２、３、突押し管２５及び細長い部材が導入子２４内にある状態で切開箇所の断面図が図示されている。図１０にて理解し得るように、位置決め装置は、第一の閉鎖部材２が導入子２４の末端に配置されるよう、該第一の閉鎖部材を押している。第一の閉鎖部材２は、ロッド形状部分６に向けて傾動し、ロッド形状部分６の長手方向枢軸と、第一の閉鎖部材２、すなわち線２０との間の角度２２、が０°であるようにする。第一の閉鎖部材２は圧縮された状態にある。その後、第一の閉鎖部材２が導入子２４から押し出されて導入子２４の基端の前方にて約１乃至５ｃｍだけ前方に運ばれる迄、位置決め装置を押す。導入子２４のユーザは導入子２４の長さを正確に知らず、また、第一の閉鎖部材２が自由とならず且つ膨張せずに導入子２４を血管３０から引き出すならば、第一の閉鎖部材２は血管３０の外側に配置される。
【００３０】
このとき、第一の閉鎖部材２は、次の状態に達している、すなわち、第一の閉鎖部材２はロッド形状部分に向けて枢動され、ロッド形状部分６の長手方向枢軸と第一の閉鎖部材２、すなわち線２０との間の角度２２が望ましい角度２２である、図１１に図示した状態、又は、導入子２４が曲げられ、ロッド形状部分６の長手方向枢軸と第一の閉鎖部材２、すなわち線２０との間の角度２２が０゜、好ましくは、約１５乃至３０゜の範囲となる、図１２に図示した状態に達している。この状態において、第一の閉鎖部材２は、導入子２４から外に伸び且つ血管３０に入る。第一の閉鎖部材２が導入子２４外になると直ちに、該部材は膨張状態まで展開する。位置決め装置の細長い部分６は第一の閉鎖部材２に締結されているため、血流によって第一の閉鎖部材２が移動することはない。
【００３１】
このとき、ロッド形状部分６の動きが第一の閉鎖部材２に伝達可能であるように、位置決め装置を動かすユーザによって第一の閉鎖部材２の位置が制御可能である。第一の閉鎖部材２の位置は、導入子２４外の伸長部の回転、方向及び長さによって制御される。固着したり又は血管を傷付けることなく、第一の閉鎖部材２を位置決めし且つ配置し得ることが望ましい。第一の閉鎖部材２を血管３０と一直線に配置したとき、これが可能である。
【００３２】
第一の閉鎖部材２を閉鎖すべきその適正な位置に配置したとき、位置決め装置を除去しなければならない。ロッド形状部分６を第一の閉鎖部材２に対して押し付ける圧力が無くなるように、細長い部材の基端を支持体１２から非締結状態にする。次に、ロッド形状部分６を第一の閉鎖部材２から解放し、導入子２４を通して引き出す。図１３参照。
【００３３】
図１４には、突押し管２５が第二の閉鎖部材３を細長い部材に沿ってその最終位置まで押す、次の状態が図示されている。その後、突押し管２５及び導入子２４を除去し、閉鎖部材が切開部を閉じる。
【００３４】
図面に図示した異なる機能部分は正確な縮尺通りではないことを理解すべきである。図面の目的は、本発明を図示した寸法又は関係にのみ限定することではなく、本発明の原理の理解を容易にするためである。
【００３５】
その好ましい実施の形態に関して本発明を説明したが、当該技術分野の当業者には、その他の形態が容易に案出可能であろう。従って、本発明の範囲は、特許請求の範囲及びその等価物によってのみ限定されると考えるべきである。
【図面の簡単な説明】
【図１】本発明の第一の実施の形態による、閉鎖装置を位置決めする位置決め装置の側面図である。
【図２】本発明の第一の実施の形態による、閉鎖装置を位置決めする位置決め装置の上方から見た図である。
【図３】本発明の第二の実施の形態による、閉鎖装置を位置決めする位置決め装置の側面図である。
【図４】本発明の第二の実施の形態による、閉鎖装置を位置決めする位置決め装置の上方から見た図である。
【図５】本発明の第二の実施の形態による、位置決め装置の上方から見た図である。
【図６】本発明による位置決め装置により位置決めすることのできる閉鎖装置の一例を示す図である。
【図７】第一の閉鎖部材と、本発明の第二の実施の形態による位置決め装置とを備える、導入子を示す図である。
【図８】図７による導入子内で圧縮された線Ａ−Ａに沿った第一の閉鎖部材の断面図である。
【図９】血管壁を貫通して血管内に伸びる導入子と共に、切開箇所を示す断面図である。
【図１０】位置決め装置、第一の閉鎖部材及び細長い部材が導入子の内部にある、切開箇所の断面図である。
【図１１】第一の閉鎖部材が導入子の外側で且つ血管内に伸びる、切開箇所の断面図である。
【図１２】第一の閉鎖部材が導入子の外側で且つ血管内に伸び、また、導入子が曲がっている、切開箇所の断面図である。
【図１３】ロッド形状部分が第一の閉鎖部材から解放され且つ導入子を通じて引き出された、切開箇所の断面図である。
【図１４】突押し管が第二の閉鎖部材をその最終位置に押す、切開箇所の断面図である。
【図１５】本発明の第三の実施の形態による、閉鎖装置を位置決めする位置決め装置の側面図である。
【図１６】本発明の第三の実施の形態による、閉鎖装置を位置決めする位置決め装置の上方から見た図である。
【図１７】本発明の第三の実施の形態による、位置決め装置の上方から見た図である。
【図１８】本発明の第四の実施の形態による、閉鎖装置を位置決めする位置決め装置の側面図である。
【図１９】本発明の第四の実施の形態による、閉鎖装置を位置決めする位置決め装置の上方から見た図である。
【図２０】本発明の第四の実施の形態による、位置決め装置の上方から見た図である。
【符号の説明】
２  第一の閉鎖部材    ３  第二の閉鎖部材
４  縫合ワイヤー      ６  ロッド形状部分
７  切欠き            ８  肩部
１０  突出部分        １２  支持体
１４  結び目          １６  前部分
１８  後部分          ２０  線
２２  角度            ２４  導入子
２５  突押し管        ２８  血管壁
３０  血管            ３４  組織
４０、４２  突出部分  ４４  空間
５０  第一の開口部 ５２  第二の開口部
５４  スリット        ５６  第一の開口
５８  第二の開口      ６０  貫通開口部
【図１】
0003860067.tif 000002
【図２】
0003860067.tif 000003
【図３】
0003860067.tif 000004
【図４】
0003860067.tif 000005
【図５】
0003860067.tif 000006
【図６】
0003860067.tif 000007
【図７】
0003860067.tif 000008
【図８】
0003860067.tif 000009
【図９】
0003860067.tif 000010
【図１０】
0003860067.tif 000011
【図１１】
0003860067.tif 000012
【図１２】
0003860067.tif 000013
【図１３】
0003860067.tif 000014
【図１４】
0003860067.tif 000015
【図１５】
0003860067.tif 000016
【図１６】
0003860067.tif 000017
【図１７】
0003860067.tif 000018
【図１８】
0003860067.tif 000019
【図１９】
0003860067.tif 000020
【図２０】
0003860067.tif 000021